(57)【要約】【課題】口中の見えないところは口内ミラーを用いて目の前の鏡に映したり、別の角度に置いた鏡の像を目の前の鏡に投影して間接的に見る場合でも、見えるサイズが大きく、老人でも口中の見づらいところを確実に見ることができる目で見ながら歯磨きできる歯磨き用鏡を提供することである。【解決手段】拡大率の異なる拡大鏡を表裏両面にそれぞれ配置した鏡本体を、取付枠に回転軸を用いて回転自在に軸支することにより、鏡本体の両面を使用できるようにしたことを特徴とする目で見ながら歯磨きできる歯磨き用鏡。【選択図】  図１
2006000395.tif 000002
【特許請求の範囲】
【請求項１】
拡大率の異なる拡大鏡を表裏両面にそれぞれ配置した鏡本体を、取付枠に回転軸を用いて回転自在に軸支することにより、鏡本体の両面を使用できるようにしたことを特徴とする目で見ながら歯磨きできる歯磨き用鏡。
【請求項２】
複数の照明具を、鏡本体を回転軸可能に取り付けてなる取付枠に設置するとともに、使用者が必要に応じてこの照明具の照明位置や向きを変えられるようにしてなる請求項１に記載の目で見ながら歯磨きできる歯磨き用鏡。
【請求項３】
取付枠が支柱と台座とを備え、台座に電源を収納するとともに、配線コード等を支柱等に内蔵させてなる請求項１に記載の目で見ながら歯磨きできる歯磨き用鏡。
【発明の詳細な説明】
【技術分野】
【０００１】
この発明は、歯磨き中の歯を個々に目で見ながら歯磨きできる鏡であり、しかも歯科の診療台と同じ機能を持った環境を得ることのできる鏡を提供することにより、歯磨きをする者が自分の目で自分自身の口中の状況、例えば歯の汚れや磨き残しの有無、あるいは虫歯の有無や現況、の確認を行えるようにした、目で見ながら歯磨きできる歯磨き用鏡に関する。
【背景技術】
【０００２】
本発明者らは先に特願２００２−３７１４８４において、目で見ながら歯磨きできる歯磨き用鏡を提案している。この発明は、「盲歯磨き」は悪の塊とする理論を基にして生み出したものであるが、本願発明は上記発明に改良を加えて目的とする鏡の性能向上を図るものである。
【特許文献１】特になし
【発明の開示】
【発明が解決しようとする課題】
【０００３】
上記本発明者らの先行技術、特願２００２−３７１４８４の発明では、「口中の情報をよく知ることができるか」、あるいは「歯の裏側を見るにはどうするか」、また「老人にも上記鏡に映る像がよく見えるか」という課題を考えたとき、満足できる結果を得ることができなかった。
そこで、目で見ながら歯磨きできる歯磨き用鏡として極めて重要なことは、歯の状態をよく知ることからスタートしなければならないということに、あらためて気が付いたのである。
【０００４】
特に、上記課題で重要なのは、口中の歯を完全に見えるようにすることである。ちなみに、歯科医師は患者を診療台に載せた上、様々な器具を使用して口中を診ている。歯の前面は直接目視しているし、口中の見えないところは口内ミラー（口中に入れて歯の裏側を見るための把手付きの小さい鏡）で見ているのである。
【０００５】
一方、歯磨きをする際に本人が鏡で見る像においては、口中の直接見ることができない箇所は、口内ミラーと補助鏡とを組み合わせて見たものであり、二重に反射させて見ているのである。そのため、小さな口内ミラーの像を補助鏡で見た場合においては、老人では到底見ることができないし、それ以外の人でも虫歯等や磨き残し等の不具合を見落とす可能性が大きい。
そこでそのような従来例の問題点を解消するためには従来の平面鏡を拡大鏡にすることが必要となる。
【０００６】
ところで、歯科医師は口内ミラーを用いてそのミラーに移った像を見ている。他方、本人が直接鏡で見る場合においては、口中の見えないところは口内ミラーを用いて目の前の鏡に映したり、別の角度に置いた鏡の像を目の前の鏡に投影して間接的に見ている。したがって見えるサイズが小さいため、老人では非常に見づらいという問題があった。
【０００７】
この発明の目的は、口中の見えないところは口内ミラーを用いて目の前の鏡に映したり、別の角度に置いた鏡の像を目の前の鏡に投影して間接的に見る場合でも、見えるサイズが大きく、老人でも口中の見づらいところを確実に見ることができる目で見ながら歯磨きできる歯磨き用鏡を提供することである。
【課題を解決するための手段】
【０００８】
すなわち、この発明の目で見ながら歯磨きできる歯磨き用鏡は、拡大率の異なる拡大鏡を表裏両面にそれぞれ配置した鏡本体を、取付枠に回転軸を用いて回転自在に軸支することにより、鏡本体の両面を使用できるようにしたことを特徴とするものである。
【０００９】
この発明に係る目で見ながら歯磨きできる歯磨き用鏡は、上記複数の照明具を、鏡本体を回転軸可能に取り付けてなる取付枠に設置するとともに、使用者が必要に応じてこの照明具の照明位置や向きを変えられるようにしたことをも特徴とするものである。
【００１０】
この発明に係る目で見ながら歯磨きできる歯磨き用鏡は、上記取付枠が支柱と台座とを備え、台座に電源を収納するとともに、配線コード等を支柱等に内蔵させたことをも特徴とするものである。
【００１１】
この発明に係る目で見ながら歯磨きできる歯磨き用鏡は、上述のように上記照明具を鏡本体から所定の間隔をおいて設けた取付枠部分にほぼ等間隔で複数取り付け、使用者が必要に応じて照明具の照明位置や向きを変えられるようにした。そのため、上記照明具により異なる方向から口中の歯のほぼ全面を照明することができ、歯磨き中の歯を個々に目で見ながら、１本ずつ磨き終わったことを確認しつつ、毎回の歯磨きが行なえるようになったのである。
【００１２】
要するにこの発明に係る目で見ながら歯磨きできる歯磨き用鏡は、口外にその角度を自在に変えることができる鏡本体を置き、鏡本体に写らない歯の裏側等の口中部分における像を、手持ちの補助鏡等を介して鏡本体に映すようにしたものである。したがって、鏡本体に写らない歯の裏側等の口中部分における像を、鏡本体で拡大したものとして目で見ながら歯磨きをすることができるようになった。
【００１３】
なお、電源はバッテリーや変圧器等を台座に内蔵させ、配線を中空とした支柱、取付枠内を通して電源と照明具とを接続するとともに、上記配線の適所にＯＮ−ＯＦＦスイッチを取り付けて、照明具の点灯、消灯を切り替えられるようにしている。
【発明の効果】
【００１４】
この発明の目で見ながら歯磨きできる歯磨き用鏡は、上記のように拡大鏡（凹面鏡等）を用いているので、従来の歯磨き方法では予想もつかなかった多くの新しい効果を発揮することがわかった。この発明の目で見ながら歯磨きできる歯磨き用鏡を「目の機関を補助する目」と考えて、その作用効果を列記する。
なお、この発明の目で見ながら歯磨きできる歯磨き用鏡は、歯磨き剤を使用しない場合により一層の効果が期待できる。
【００１５】
ａ）歯磨き環境が歯科の診療台に等しいかまたは極めて近いものとなり、口中の磨き残し等の情報が確実に収集できるようになった。特に、歯科等で使用している口内ミラーが使えるので、例えば歯の裏側の虫歯の成りかけの発見が可能であり、また口中の細かい部分が見られるので、口腔症や舌炎その他の病気の早期発見も可能となる。
ｂ）この発明の目で見ながら歯磨きできる歯磨き用鏡を用い、歯磨き剤を使用しないで１年間磨き続けたところ、歯周病がほとんど見られなくなり、逆に虫歯が発見された。これは、口中の健康状態が改善され、虫歯の早期発見ができたものと考えられる。
歯科医師の書物である「むし歯・歯周病」株式会社法研発行、２８頁には「虫歯の治療に歯原因のコントロールが欠かせない。原因を改善すればかかり初めのむし歯は自然に治り、小さなむし歯は進行をとめることができる。」と記載され、「リスク因子」のコントロールが本当のむし歯の治療なのである。」と述べている。今後は歯科医師のリスクコントロールでむし歯は治る時代がくる。そこで、この発明の目で見ながら歯磨きできる歯磨き用鏡、すなわち「目の機関を補助する目」で虫歯の早期発見ができれば、上記「リスクコントロール」で虫歯は治るといえるのである。
なお、自分自身の虫歯の早期発見は困難であるとされてきた。ところが、歯磨きできる歯磨き用鏡を用い、歯磨き剤を使用しない歯磨き方法で自分自身の虫歯の早期発見が可能となったのである。
ｃ）「目の機関を補助する目」の役割についてより詳しく説明すると、歯磨きには次の３つの条件がある。
１）  歯ブラシを使用することはもちろんである。
２）  歯磨き剤も使用する。
３）  目で見て歯磨きする。
しかしながら通常は３）の目で見て歯磨きすることができないので、２つの条件しか充たすことができない。
「目の機関を補助する目」の役割は、３）の目で見て歯磨きすることを可能とすることにあり、はじめて完全な歯磨きを可能としているのである。
ｄ）上記の歯磨きできる歯磨き用鏡を用い、歯磨き剤を使用しない歯磨き方法と従来の歯磨き剤を使用する歯磨き方法とを組み合わせることにより、歯の病気の予防と自己診断ができ、また病気を早期発見することができれば、歯磨きのみで簡単に治癒させたり進行を止めたりすることができる。
この発明の目で見ながら歯磨きできる歯磨き用鏡は、上記歯磨き方法を毎回確実に実行することができる。
【発明を実施するための最良の形態】
【００１６】
以下、この発明に係る目で見ながら歯磨きできる歯磨き用鏡の実施の形態について、図面に基いて詳細に説明する。
図１はこの発明の目で見ながら歯磨きできる歯磨き用鏡の１実施例を示す正面図、図２はその側面図である。
【００１７】
図１および図２において、鏡本体１１は円弧状の取付枠１２の両側に保持した回転軸１３を介して回転自在に軸支されている。そのため、鏡本体１１は前後に首振り可能である。また上記取付枠１２は支柱１４を介して台座１５上に立設され、取付枠１２は支柱１４上部に設けた回転部１６により水平方向に回転可能に保持されている。したがって、鏡本体１１は上下のみならず左右にも向きを変えることができる。
【００１８】
上記鏡本体１１は、拡大率の異なる拡大鏡を表裏両面にそれぞれ配置して構成されている。鏡本体１１は上述のように、取付枠１２により上下のみならず左右にも向きを変えることができるばかりか、その両面を適宜使用することにより、希望の拡大率で口中を見ることができる。
【００１９】
上記取付枠１２には所定の間隔で複数の照明具１７が設置されている。この照明具１７は取付枠１２に挿通した保持具１８の端部に回動可能に軸着され、使用者は必要に応じてこの照明具１７の照明位置や角度を変えられるようになっている。すなわち、取付枠１２に挿通した保持具１８をスライドさせて照明具１７の照明位置を変えたり、保持具１８の軸着部分を回動させて照明角度を変えたりすることができる。
【００２０】
支柱１４を支持する台座１５のハウジング内には電源１９が収納され、この電源１９と照明具１７とは、パイプ状の支柱１４、取付枠１２内を経由して延長された配線コード２０により接続されている。２１は、台座１５のハウジング前面に突出させたＯＮ−ＯＦＦスイッチである。
【００２１】
図において２２は支柱１４上部に取り付けた補助鏡である。図では回転部１６前面に縦軸２３および横軸２４を介して軸着されている。したがって、補助鏡２２も上下に首振り可能であり、また左右にも回動させることができるので、自在にその向きを変えることができる。
【００２２】
使用に際しては、図２に示すように鏡本体１１に向かった使用者が、支柱１４の長さを変えたり、鏡本体１１の角度を調整しながら口中が確実に見える位置に固定し、その上で照明具１７の角度を変えながら口中の適宜位置を照明することができるよう調整する。その際、照明具１７の照明位置等を変えることもできる。
【００２３】
上記補助鏡２２は、支柱１４の上部において自在に向きを変えることができるようにしておけば、鏡本体１１では写しきれない口中の歯の裏側等を写すことができる。もちろん、この補助鏡２２も適宜角度に保持することができる。
【００２４】
この発明の目で見ながら歯磨きできる歯磨き用鏡においては、上記点状に発光する各照明具に代えて、棒状に発光する照明具を用いることもできる。その場合には４個の点状に発光する照明具に代えて鏡本体の両側に一対の照明具とすることができる。もちろん、このような棒状に発光する照明具と点状に発光する照明具とを組み合わせて使用すれば、より効果的な照明を行なうことができる。
【産業上の利用可能性】
【００２５】
この発明の目で見ながら歯磨きできる歯磨き用鏡、すなわち「目の機関を補助する目」の使用方法は、「歯磨き剤は使わず、歯ブラシだけで磨く」ことになる。
「歯ブラシの毛には研磨効果がある」ことを見いだしたのであり、その効果は次の通りである。
ａ）上記の歯磨きを自分の歯で実験した。すなわち、「歯磨き剤不使用」で１年間間毎日１回磨いたところ、歯垢も歯石も付着しなかった。そして歯は白さを保ち、微細な磨きにより濡れた歯はピカピカに輝き、口一杯の輝く歯の集合はどんな宝石よりも美しく見え、実にすばらしい歯磨き方法ができたのである。
ｂ）毎回の歯磨きは「歯磨き剤」を使用しない歯磨きが終わった後に「歯磨き剤」を使用すれば、殺菌効果が二重に作用し、非常に効果が大きい、新しい歯磨き方法の「発明」が得られた。
【図面の簡単な説明】
【００２６】
【図１】この発明の目で見ながら歯磨きできる歯磨き用鏡の１実施例を示す正面図である。
【図２】その側面図である。
【符号の説明】
【００２７】
１１  鏡本体
１２  取付枠
１３  回転軸
１４  支柱
１５  台座
１６  回転部
１７  照明具
１８  保持具
１９  電源
２０  配線コード
２１  ＯＮ−ＯＦＦスイッチ
２２  補助鏡
２３  縦軸
２４  横軸
【図１】
2006000395.tif 000003
【図２】
2006000395.tif 000004